(57)【要約】      （修正有）【課題】移動中にレンズ鏡筒を衝撃より守るための緩衝機能と、机上等に置いた場合にカメラ本体がカメラレンズの重みで前方向に倒れることを防止してカメラレンズの光軸を狂わせないようにすることができるレンズキャップを提供する。【解決手段】レンズ鏡筒２の先端部５に装着されるレンズキャップ本体４ｂは、肉厚のリング形状基材部と緩衝カバー材及び蓋部からなる有底円筒形状を有し、前記リング形状基材部の外側部は緩衝カバー材により覆われたキャップ円筒部を形成しており、該キャップ円筒部は外径寸法を大きく付加するリング状の外周部を形成し、該外周部がカメラ本体１を机上等に載置した際にカメラレンズの重みでカメラ本体１が前方向に倒れることを防止してカメラ本体１とレンズ鏡筒２を略水平に保持可能にした。【選択図】図３
2014074820.tif 000002
【特許請求の範囲】
【請求項１】
カメラレンズ鏡筒の入射光側先端部に装着されるレンズキャップ本体は肉厚のリング形状基材からなるキャップ円筒部と蓋部からなる有底円筒形状を有し、該レンズキャップ本体のリング形状基材からなるキャップ円筒部と蓋部は全体を高分子弾性体からなる緩衝カバー材により形成されているか、または前記リング形状基材からなるキャップ円筒部と蓋部は高分子弾性体からなる緩衝カバー材にて外周部を覆うことによりレンズキャップ本体を形成し、該レンズキャップ本体は前記カメラレンズ鏡筒の入射光側先端部に着脱自在に嵌合または螺合可能となし、該レンズキャップ本体が嵌合または螺合することによりレンズキャップ本体のキャップ円筒部が外径寸法を大きく付加したリング状の外周部を形成し、該キャップ円筒部の外周部が支えとなりカメラ本体を机上等に載置した際にカメラレンズの重みでカメラ本体が前方向に倒れることを防止してカメラ本体とレンズ鏡筒を略水平に保持可能にすることを特徴とする高分子弾性体からなる緩衝機能付きレンズキャップ。
【請求項２】
カメラレンズ鏡筒の入射光側先端部に装着されるレンズキャップ本体は肉厚のリング形状基材からなるキャップ円筒部と蓋部からなる有底円筒形状を有し、該レンズキャップ本体のリング形状基材からなるキャップ円筒部と蓋部は全体を高分子弾性体からなる緩衝カバー材により形成されているか、または前記リング形状基材からなるキャップ円筒部と蓋部は高分子弾性体からなる緩衝カバー材にて外周部を覆うことによりレンズキャップ本体を形成し、該レンズキャップ本体は前記カメラレンズ鏡筒の入射光側先端部に着脱自在に嵌合または螺合可能となし、該レンズキャップ本体が嵌合または螺合することによりレンズキャップ本体のキャップ円筒部が外径寸法を大きく付加したリング状の外周部を構成すると共に前記キャップ円筒部の外周部でカメラ本体側に大きく突出してレンズキャップ本体の長さを大きくし、該キャップ円筒部の外周部が支えとなりカメラ本体を机上等に載置した際にカメラレンズの重みでカメラ本体が前方向に倒れることを防止してカメラ本体とレンズ鏡筒を略水平に保持可能にすることを特徴とする高分子弾性体からなる緩衝機能付きレンズキャップ。
【請求項３】
前記レンズキャップ本体においてリング形状基材からなるキャップ円筒部の外周部は緩衝カバー材にて外周部を覆われており、該レンズキャップ本体のキャップ円筒部を形成する外周部の緩衝カバー材は比較的柔らかい緩衝用の高分子弾性体により形成されていることを特徴とする請求項１及び請求項２のいずれかに記載された高分子弾性体からなる緩衝機能付きレンズキャップ。
【請求項４】
前記レンズキャップ本体においてリング形状基材からなるキャップ円筒部と蓋部は全体を比較的柔らかい緩衝用の高分子弾性体にて形成されていることを特徴とする請求項１及び請求項２のいずれかに記載された高分子弾性体からなる緩衝機能付きレンズキャップ。
【請求項５】
前記レンズキャップ本体において、リング形状基材からなるキャップ円筒部の外周部は緩衝カバー材により覆われたキャップ円筒部を形成しており、該キャップ円筒部は外周部の外部側を比較的柔らかい緩衝用の高分子弾性体にて形成し、該緩衝用の高分子弾性体の硬度は前記外周部の外部側より光軸側の内面に向かって徐々に硬度を増す高分子弾性体にて形成されていることを特徴とする請求項１及び請求項２のいずれかに記載された高分子弾性体からなる緩衝機能付きレンズキャップ。
【発明の詳細な説明】
【技術分野】
【０００１】
本発明は、高分子弾性体からなる合成樹脂を用いて製作されるデジタル一眼レフカメラ用の緩衝機能付きレンズキャップに関するものである。
【０００２】
また、本発明の緩衝機能付きレンズキャップは、高分子弾性体からなる合成樹脂、即ち、熱硬化性樹脂や熱可塑性樹脂、並びに合成樹脂を用いた繊維強化プラスチックスなどの複合材料を成形加工して製作されるものである。
【０００３】
而して、本発明の高分子弾性体からなる緩衝機能付きレンズキャップは、カメラのレンズ鏡筒の先端部に着脱自在に装着され、該レンズキャップが装着されると有底円筒形状の肉厚レンズキャップはレンズ鏡筒先端部の外周部分を大きく付加することが可能な構成を有している。そして、本発明は、前記レンズキャップの外周部分を大きく付加したことにより、例えば、カメラ本体を机の上等に置いた場合にカメラ本体がカメラレンズの重みで前方向に倒れることを防止してカメラ本体とレンズ鏡筒を略水平に保持可能で、カメラ本体がレンズの重みで倒れることによりレンズ鏡筒が直接衝撃を受けてレンズ光軸を狂わせないようにすることができるものである。
【０００４】
また、本発明は、カメラのレンズ鏡筒の先端部に緩衝機能付きのレンズキャップとして装着される有底円筒形状の肉厚レンズキャップであり、該レンズキャップはカメラ本体に標準レンズやズームレンズ、または望遠レンズ等を取付けた場合にそのレンズ鏡筒の先端部にキャップとして装着され、撮影現場への移動中や搬送中にそのレンズ鏡筒先端部が堅いものにぶつかった場合などに緩衝材となり、カメラレンズの光軸を狂わせないようにするためのものである。
【背景技術】
【０００５】
デジタル一眼レフカメラの撮影用レンズの前面を保護するために装着されるレンズキャップは、特開２０００−３０５１３０号公報（以下、特許文献１と称する）に開示された発明や、特開２００８−１２３００６号公報（以下、特許文献２と称する）に開示された発明が現在の技術的な動向を顕著に示している。
【０００６】
即ち、特許文献１は、押しボタンの操作でレンズ鏡筒等に装着して撮影レンズを保護するレンズキャップが偶然の押しボタンの押しにより外れることを防止するためのものであり、その構成はケース内に左右一対の押しボタンを取付けた可撓性リングを組み込み、押しボタンの一方を操作したときにのみ該可撓性リング、または該ケースに接触する突起をいずれかに設けたもので、レンズキャップは不図示のレンズ鏡筒のフィルターねじ部と押しボタン部に設けられたねじ部が係合することにより保持されているものである。
【０００７】
また、特許文献２は、レンズキャップの製造コストダウンをはかるとともに、使用における汎用性を向上させるものであり、その構成は、レンズ鏡筒前端部内周の係合部に着脱自在に装着されるレンズキャップにおいて、複数の外径を有し、前記複数の外径の少なくとも一部が前記係合部に係合可能な取付用ガイド部と、前記取付用ガイド部を有しており、円板状に形成されたキャップ本体と、前記キャップ本体に対して移動可能に装着され、前記キャップ本体の外側に突出するように付勢される一対の操作部とを有するものである。
【０００８】
斯して、特許文献１及び特許文献２の発明は、カメラのレンズ鏡筒前面、或いはレンズ鏡筒前面にフィルター枠を介して取付けるレンズキャップに関するものであり、前記カメラのレンズ鏡筒前面部の内径部、及びフィルター枠の前面部の内径部にはレンズキャップ係合用の雌ネジが螺設されている。
【０００９】
そして、特許文献１及び特許文献２の発明は、前記カメラのレンズ鏡筒前面部の内径部、及びフィルター枠の前面部の内径部に設けられたレンズキャップ係合用の雌ネジとレンズキャップの係合に関する種々の問題点を解決するための具体策が示されていて、夫々有用なレンズキャップを提供している。
【００１０】
然しながら、本発明におけるレンズキャップは、上述の発明の如くカメラのレンズ鏡筒前面部に着脱自在に装着して撮影用のレンズの前面を保護するだけのものではない。即ち、本発明のレンズキャップは外周部分を大きく付加した特徴的な構成により、例えば、カメラ本体を机の上等に置いた場合にカメラ本体がカメラレンズの重みで前方向に倒れることを防止してカメラ本体とレンズ鏡筒を略水平に保持可能で、カメラ本体がレンズの重みで倒れることによりレンズ鏡筒が直接衝撃を受けてレンズ光軸を狂わせないようにすることができるものである。
【００１１】
また本発明は、カメラのレンズ鏡筒の先端部に緩衝機能付きのレンズキャップとして装着される有底円筒形状の肉厚レンズキャップであり、該レンズキャップはカメラ本体に標準レンズやズームレンズ、または望遠レンズ等を取付けた場合にそのレンズ鏡筒の先端部にレンズキャップとして装着され、撮影現場への移動中や搬送中にそのレンズ鏡筒先端部が堅いものにぶつかった場合などにレンズキャップが緩衝材となりカメラレンズの光軸を狂わせないようにするためのものである。
【先行技術文献】
【特許文献】
【００１２】
【特許文献１】特開２０００−３０５１３０号公報
【特許文献２】特開２００８−１２３００６号公報
【発明の概要】
【発明が解決しようとする課題】
【００１３】
本発明における高分子弾性体からなる緩衝機能付きレンズキャップは、カメラのレンズ鏡筒の先端部に着脱自在に装着され、該レンズキャップが装着されると有底円筒形状の肉厚レンズキャップはレンズ鏡筒先端部の外径部分を大きく付加することが可能な構成で、該レンズ鏡筒先端部に装着されたレンズキャップの外径部分を大きく付加することによりレンズキャップの外周部分が作用して、例えば、カメラ本体を机の上等に置いた場合にカメラ本体がカメラレンズの重みで前方向に倒れることを防止してカメラ本体とレンズ鏡筒をレンズキャップにて略水平に保持可能であり、カメラ本体がレンズの重みで倒れることによりレンズ鏡筒が直接衝撃を受けてレンズ光軸を狂わせないようにすることができるものである。
【００１４】
また、本発明における高分子弾性体からなる緩衝機能付レンズキャップは、カメラのレンズ鏡筒の先端部に緩衝機能付きのレンズキャップとして装着される有底円筒形状の肉厚レンズキャップであり、該レンズキャップはカメラ本体に標準レンズやズームレンズ、または望遠レンズ等を取付けた場合にそのレンズ鏡筒の先端部やレンズ鏡筒部分に装着され、撮影現場への移動中や搬送中にそのレンズ鏡筒先端部やレンズ鏡筒部分が堅いものにぶつかった場合などにレンズキャップが緩衝材となりカメラレンズの光軸を狂わせないようにするためのものである。
【課題を解決するための手段】
【００１５】
本発明において、カメラレンズ鏡筒の入射光側先端部に装着されるレンズキャップ本体は、肉厚のリング形状基材からなるキャップ円筒部と蓋部からなる有底円筒形状を有し、該レンズキャップ本体のリング形状基材からなるキャップ円筒部と蓋部は全体を高分子弾性体からなる緩衝カバー材により形成されているか、または前記リング形状基材からなるキャップ円筒部と蓋部は高分子弾性体からなる緩衝カバー材にて外周部を覆うことによりレンズキャップ本体を形成し、該レンズキャップ本体は前記カメラレンズ鏡筒の入射光側先端部に着脱自在に嵌合または螺合可能となし、該レンズキャップ本体が嵌合または螺合することによりレンズキャップ本体のキャップ円筒部が外径寸法を大きく付加したリング状の外周部を形成し、該キャップ円筒部の外周部が支えとなりカメラ本体を机上等に載置した際にカメラレンズの重みでカメラ本体が前方向に倒れることを防止してカメラ本体とレンズ鏡筒を略水平に保持可能にすることができる高分子弾性体からなる緩衝機能付きレンズキャップを提供するものである。
【００１６】
また、本発明において、カメラレンズ鏡筒の入射光側先端部に装着されるレンズキャップ本体は、肉厚のリング形状基材からなるキャップ円筒部と蓋部からなる有底円筒形状を有し、該レンズキャップ本体のリング形状基材からなるキャップ円筒部と蓋部は全体を高分子弾性体からなる緩衝カバー材により形成されているか、または前記リング形状基材からなるキャップ円筒部と蓋部は高分子弾性体からなる緩衝カバー材にて外周部を覆うことによりレンズキャップ本体を形成し、該レンズキャップ本体は前記カメラレンズ鏡筒の入射光側先端部に着脱自在に嵌合または螺合可能となし、該レンズキャップ本体が嵌合または螺合することによりレンズキャップ本体のキャップ円筒部が外径寸法を大きく付加したリング状の外周部を構成すると共に前記キャップ円筒部の外周部でカメラ本体側に大きく突出してレンズキャップ本体の長さを大きくし、該キャップ円筒部の外周部が支えとなりカメラ本体を机上等に載置した際にカメラレンズの重みでカメラ本体が前方向に倒れることを防止してカメラ本体とレンズ鏡筒を略水平に保持可能にすることができる高分子弾性体からなる緩衝機能付きレンズキャップを提供するものである。
【００１７】
そして、本発明は、前記レンズキャップ本体においてリング形状基材からなるキャップ円筒部の外周部は、緩衝カバー材により覆われており、該レンズキャップ本体のキャップ円筒部を形成する外周部の緩衝カバー材は比較的柔らかい緩衝用の高分子弾性体により形成されているものである。
【００１８】
また、本発明は、前記レンズキャップ本体において、リング形状基材からなるキャップ円筒部と蓋部は全体を比較的柔らかい緩衝用の高分子弾性体にて形成しているものである。
【００１９】
更に、前記レンズキャップ本体において、リング形状基材からなるキャップ円筒部の外周部は緩衝カバー材により覆われたキャップ円筒部を形成しており、該キャップ円筒部は外周部の外部側を比較的柔らかい緩衝用の高分子弾性体にて形成し、該緩衝用の高分子弾性体の硬度は前記外周部の外部側より光軸側の内面に向かって徐々に硬度を増す高分子弾性体にて形成されているものである。
【発明の効果】
【００２０】
斯して、本発明における高分子弾性体からなる緩衝機能付きレンズキャップは、カメラのレンズ鏡筒の先端部に着脱自在に装着され、該レンズキャップが装着されると有底円筒形状の肉厚レンズキャップはレンズ鏡筒先端部の外径部分を大きく付加することが可能な構成で、該レンズ鏡筒先端部に装着されたレンズキャップの外径部分を大きく付加することによりレンズキャップの外周部分が作用して、例えば、カメラ本体を机の上等に置いた場合にカメラ本体がカメラレンズの重みで前方向に倒れることを防止してカメラ本体とレンズ鏡筒をレンズキャップにて略水平に保持可能であり、カメラ本体がレンズの重みで倒れることによりレンズ鏡筒が直接衝撃を受けてレンズ光軸を狂わせないようにすることができる。
【００２１】
また、本発明における高分子弾性体からなる緩衝機能付レンズキャップは、カメラのレンズ鏡筒の先端部に緩衝機能付きのレンズキャップとして装着される有底円筒形状の肉厚レンズキャップであり、該レンズキャップはカメラ本体に標準レンズやズームレンズ、または望遠レンズ等を取付けた場合にそのレンズ鏡筒の先端部やレンズ鏡筒部分に装着され、撮影現場への移動中や搬送中にそのレンズ鏡筒先端部やレンズ鏡筒部分が堅いものにぶつかった場合などにレンズキャップが緩衝材となりカメラレンズの光軸を狂わせないようにすることができる。
【００２２】
更に、本発明は高分子弾性体からなる緩衝機能付きレンズキャップを提供するもので、従来のレンズキャップになかった新機能を有するレンズキャップを提供することができる。
【図面の簡単な説明】
【００２３】
【図１】（Ａ）本発明に係る従来例の説明図。           （Ｂ）実施例１の外観説明図。
【図２】（Ａ）実施例１を説明する部材断面図。           （Ｂ）実施例１の装着状態を示す断面図。
【図３】実施例２の外観説明図。
【図４】（Ａ）実施例２を説明する部材断面図。           （Ｂ）実施例２の装着状態を示す断面図。
【発明を実施するための形態】
【００２４】
本発明は、高分子弾性体からなる合成樹脂を用いて製作されるデジタル一眼レフカメラ用の緩衝機能付きレンズキャップに関するものである。
【００２５】
また、本発明の緩衝機能付きレンズキャップは、高分子弾性体からなる合成樹脂、即ち、熱硬化性樹脂や熱可塑性樹脂、並びに合成樹脂を用いた繊維強化プラスチックスなどの複合材料を成形加工して製作されるものである。
【００２６】
本発明において、熱可塑性樹脂とは、ガラス転移温度、または融点まで加熱することによって柔らかくなり、目的の形に成形加工できる樹脂で、一般的に熱可塑性樹脂は、切削、研削等の機械加工がしにくい事が多く、加熱し軟化したところで金型に押し込み、冷やして固化させる射出成型加工などが広く用いられており、熱可塑性樹脂を用途により分類すると、熱可塑性エラストマーと呼ばれるシリコーンゴムやフッ素ゴム、汎用プラスチックスやエンジニアリング・プラスチック、並びにスーパーエンジニアリングプラスチックなどである。
【００２７】
本発明において使用される前記汎用プラスチックスには、ポリエチレン（ＰＥ）、ポリプロピレン（ＰＰ）、ポリ塩化ビニル（ＰＶＣ）、ポリスチレン（ＰＳ）、ポリテトラフルオロエチレン（ＰＴＦＥ）、ＡＢＳ樹脂、アクリル樹脂などがある。
【００２８】
また、本発明において使用される前記エンジニアリング・プラスチックスには、ポリアミド（ＰＡ）、ポリアセタール（ＰＯＭ）、ポリカーボネート（ＰＣ）、ポリブチレンテレフタレート（ＰＢＴ）、ポリエチレンテレフタレート（ＰＥＴ）、グラスファイバー強化ポリエチレンテレフタレート（ＧＦ−ＰＥＴ）などがある。
【００２９】
更に、本発明において使用される前記スーパーエンジニアリング・プラスチックスには、ポリフェニレンスルファイド（ＰＰＳ）、ポリテトラフロロエチレン（ＰＴＦＥ）、ポリスルホン（ＰＳＦ）、ポリエーテルサルフォン（ＰＥＳ）、非晶ポリアリレート（ＰＡＲ）、液晶ポリマー（ＬＣＰ）、熱可塑性ポリイミド（ＰＩ）、ポリアミドイミド（ＰＡＩ）などがある。
【００３０】
そして、本発明において使用される合成樹脂を用いた繊維強化プラスチックスなどの複合材料としては、ガラス繊維強化プラスチックス（ＧＦＲＰ）や炭素繊維強化プラスチックス（ＣＦＲＰ）などがある。
【００３１】
斯して、本発明における高分子弾性体からなる緩衝機能付きレンズキャップは、カメラのレンズ鏡筒の先端部に着脱自在に装着され、該レンズキャップが装着されると有底円筒形状の肉厚レンズキャップはレンズ鏡筒先端部の外径部分を大きく付加することが可能な構成で、該レンズ鏡筒先端部に装着されたレンズキャップの外径部分を大きく付加することによりレンズキャップの外周部分が作用して、例えば、カメラ本体を机の上等に置いた場合にカメラ本体がカメラレンズの重みで前方向に倒れることを防止してカメラ本体とレンズ鏡筒をレンズキャップにて略水平に保持可能であり、カメラ本体がレンズの重みで倒れることによりレンズ鏡筒が直接衝撃を受けてレンズ光軸を狂わせないようにすることができるものである。
【００３２】
また、本発明における高分子弾性体からなる緩衝機能付レンズキャップは、カメラのレンズ鏡筒の先端部に緩衝機能付きのレンズキャップとして装着される有底円筒形状の肉厚レンズキャップであり、該レンズキャップはカメラ本体に標準レンズやズームレンズ、または望遠レンズ等を取付けた場合にそのレンズ鏡筒の先端部やレンズ鏡筒部分に装着され、撮影現場への移動中や搬送中にそのレンズ鏡筒先端部やレンズ鏡筒部分が堅いものにぶつかった場合などにレンズキャップが緩衝材となりカメラレンズの光軸を狂わせないようにするためのものである。
【００３３】
本発明において、カメラレンズ鏡筒の入射光側先端部に装着されるレンズキャップ本体は、肉厚のリング形状基材からなるキャップ円筒部と蓋部からなる有底円筒形状を有し、該レンズキャップ本体のリング形状基材からなるキャップ円筒部と蓋部は全体を高分子弾性体からなる緩衝カバー材により形成されているか、または前記リング形状基材からなるキャップ円筒部と蓋部は高分子弾性体からなる緩衝カバー材にて外周部を覆うことによりレンズキャップ本体を形成し、該レンズキャップ本体は前記カメラレンズ鏡筒の入射光側先端部に着脱自在に嵌合または螺合可能となし、該レンズキャップ本体が嵌合または螺合することによりレンズキャップ本体のキャップ円筒部が外径寸法を大きく付加したリング状の外周部を形成し、該キャップ円筒部の外周部が支えとなりカメラ本体を机上等に載置した際にカメラレンズの重みでカメラ本体が前方向に倒れることを防止してカメラ本体とレンズ鏡筒を略水平に保持可能にする高分子弾性体からなる緩衝機能付きレンズキャップであることが好ましい。
【００３４】
また、本発明において、カメラレンズ鏡筒の入射光側先端部に装着されるレンズキャップ本体は、肉厚のリング形状基材からなるキャップ円筒部と蓋部からなる有底円筒形状を有し、該レンズキャップ本体のリング形状基材からなるキャップ円筒部と蓋部は全体を高分子弾性体からなる緩衝カバー材により形成されているか、または前記リング形状基材からなるキャップ円筒部と蓋部は高分子弾性体からなる緩衝カバー材にて外周部を覆うことによりレンズキャップ本体を形成し、該レンズキャップ本体は前記カメラレンズ鏡筒の入射光側先端部に着脱自在に嵌合または螺合可能となし、該レンズキャップ本体が嵌合または螺合することによりレンズキャップ本体のキャップ円筒部が外径寸法を大きく付加したリング状の外周部を構成すると共に前記キャップ円筒部の外周部でカメラ本体側に大きく突出してレンズキャップ本体の長さを大きくし、該キャップ円筒部の外周部が支えとなりカメラ本体を机上等に載置した際にカメラレンズの重みでカメラ本体が前方向に倒れることを防止してカメラ本体とレンズ鏡筒を略水平に保持可能にする高分子弾性体からなる緩衝機能付きレンズキャップであることが好ましい。
【００３５】
そして、本発明において、前記レンズキャップ本体においてリング形状基材からなるキャップ円筒部の外周部は、緩衝カバー材により覆われており、該レンズキャップ本体のキャップ円筒部を形成する外周部の緩衝カバー材は比較的柔らかい緩衝用の高分子弾性体により形成されていることが好ましい。
【００３６】
また、本発明は、前記レンズキャップ本体において、リング形状基材からなるキャップ円筒部と蓋部は全体を比較的柔らかい緩衝用の高分子弾性体にて形成していることが好ましい。
【００３７】
更に、前記レンズキャップ本体において、リング形状基材からなるキャップ円筒部の外周部は緩衝カバー材により覆われたキャップ円筒部を形成しており、該キャップ円筒部は外周部の外部側を比較的柔らかい緩衝用の高分子弾性体にて形成し、該緩衝用の高分子弾性体の硬度は前記外周部の外部側より光軸側の内面に向かって徐々に硬度を増す高分子弾性体にて形成されていることが好ましい。
【００３８】
而して、本発明は上述の構成を提供することにより、デジタル一眼レフカメラのレンズ鏡筒用のレンズキャップは、カメラのレンズ鏡筒の先端部に装着され、該レンズキャップが装着されると有底円筒形状の肉厚レンズキャップはレンズ鏡筒先端部の外径部分を大きく付加することが可能な構成で、該レンズ鏡筒先端部の外径部分を大きく付加することにより、例えば、カメラ本体を机の上等に置いた場合にカメラ本体がカメラレンズの重みで前方向に倒れることを防止してカメラ本体とレンズ鏡筒を略水平に保持可能であり、カメラ本体がレンズの重みで倒れることによりレンズ鏡筒が直接衝撃を受けてレンズ光軸を狂わせないようにすることができる緩衝機能付きレンズキャップを提供することができる。
【００３９】
また、本発明は、カメラのレンズ鏡筒の先端部に緩衝機能付きのレンズキャップとして装着される有底円筒形状の肉厚レンズキャップであり、該レンズキャップはカメラ本体に標準レンズやズームレンズ、または望遠レンズ等を取付けた場合にそのレンズ鏡筒の先端部やレンズ鏡筒部分に装着され、撮影現場への移動中や搬送中にそのレンズ鏡筒先端部やレンズ鏡筒部分が堅いものにぶつかった場合などにレンズキャップが緩衝材となりカメラレンズの光軸を狂わせないようにすることができる緩衝機能付きレンズキャップを提供することができる。
【実施例１】
【００４０】
図１（Ａ）は本発明を必要とするカメラ本体、並びにカメラレンズ鏡筒部分を説明する外観図、図１（Ｂ）は本発明の外観説明図であり、図２（Ａ）は実施例１を説明する部品断面図、図２（Ｂ）は実施例１のレンズキャップ装着状態を示す断面図である。
【００４１】
図１（Ａ）、（Ｂ）において、１はカメラ本体、２はズームレンズや望遠レンズ等からなるカメラのレンズ鏡筒、３はカメラ本体１が載置される机、そして、図１（Ｂ）に示す符号４ａはレンズキャップを示している。
【００４２】
而して、カメラのレンズ鏡筒２をカメラ本体１に装着したまま机３の上に載置すると図１（Ａ）に示す如く角度Ｒを有して机上に置かれることになり、カメラ本体１はカメラのレンズ鏡筒２の重みで前方向に倒れることになり、カメラ本体１がレンズ鏡筒２の重みで倒れることによりレンズ鏡筒２が衝撃を受けレンズ光軸を狂わせることになる。そして、この現象は、ズームレンズや望遠レンズ等をカメラ本体１に装着した場合に必ず生じる厄介な現象である。
【００４３】
従って、実施例１は、図１（Ｂ）に示す如く、レンズキャップ本体４ａは高分子弾性体を成形加工して製作されており、該レンズキャップ本体４ａはカメラのレンズ鏡筒２のレンズ鏡筒先端部５に着脱自在に装着される構成で、該レンズキャップ本体４ａの形状は、レンズ鏡筒２のレンズ鏡筒先端部５においてレンズキャップ本体４ａの外径φを大きく付加したもので、前記レンズキャップ本体４ａは外径φ部分を大きく付加することにより、例えば、カメラ本体１を机３の上等に置いた場合にカメラ本体１がカメラのレンズ鏡筒２の重みで前方向に倒れることを防止してカメラ本体１とレンズ鏡筒２をレンズキャップ本体４ａにて略水平に保持または載置可能で、カメラ本体１がレンズの重みで倒れることによりレンズ鏡筒２の先端部が衝撃を受けレンズ光軸を狂わせないようにすることができる高分子弾性体からなる緩衝機能付きレンズキャップ本体４ａを提供する。
【００４４】
実施例１を図２（Ａ）（Ｂ）にて詳説すれば、２はカメラのレンズ鏡筒、５はレンズ鏡筒先端部、６はレンズ鏡筒先端部に螺設されたアタッチメント装着用の雌ネジ部であり、７は入射光側、８はカメラ本体側を示しており、Ｃはレンズキャップ本体４ａ、レンズ鏡筒２並びにカメラレンズの光軸を示している。
【００４５】
また、４ａは実施例１のレンズキャップ本体を示し、該レンズキャップ本体４ａは肉厚のリング形状基材９からなるキャップ円筒部１０と蓋部１１、そして、前記レンズ鏡筒２のレンズ鏡筒先端部５を嵌着するためのキャップ嵌合部１２を有している。尚、キャップ嵌合部１２の内径部１３には、開口側が高く突起し内部側に向かって少しずつ低くなる形状を有した嵌合突起１４ａ、１４ｂ、１４ｃ・・・が設けられており、前記レンズキャップ本体４ａは嵌合突起１４ａ、１４ｂ、１４ｃ・・・を介してレンズ鏡筒２のレンズ先端部５に図２（Ｂ）の如く着脱自在に装着できる。
【００４６】
更に、レンズ鏡筒先端部５へのレンズキャップ本体４ａの装着方法は、キャップ嵌合部１２の内径部１３に不図示の雄ネジ部を突設して設け、該雄ネジ部に前記レンズ鏡筒先端部に螺設されたアタッチメント装着用の雌ネジ部６を螺合すること等により行うようにしても良い。また、レンズ鏡筒先端部５には種々の機能を有したフィルター枠が、アタッチメント装着用の雌ネジ部６を介して装着されている場合があるが、この場合においても前記フィルター枠の前面にはアタッチメント装着用の雌ネジが螺設されており、レンズキャップ本体４ａの装着方法は同様のものとなる。
【００４７】
而して、前記肉厚のリング形状基材９からなるキャップ円筒部１０は外径寸法を大きく付加したリング状の外周部１５を構成しており、該肉厚のリング形状基材９からなるキャップ円筒部１０と蓋部１１は、通常全体を熱可塑性エラストマーと呼ばれるシリコーンゴムやフッ素ゴム等の高分子弾性体によりなる緩衝カバー材１６にて成型加工されている。また、実施例１の応用例として前記レンズキャップ本体４ａのキャップ円筒部１０はエンジニアリング・プラスチックスやスーパーエンジニアリング・プラスチックス等の成型加工によりリング形状基材９を成型した後、該キャップ円筒部１０を形成するリング形状基材９の外部側をシリコーンゴムやフッ素ゴム等の高分子弾性体からなる緩衝カバー１６にて外側を覆いリング状の外周部１５を製作することもできる。
【００４８】
従って、実施例１は、カメラのレンズ鏡筒２の入射光側７の先端部に装着されるレンズキャップ本体４ａは肉厚のリング形状基材９からなるキャップ円筒部１０と蓋部１１からなる有底円筒形状を有し、該レンズキャップ本体４ａのリング形状基材９からなるキャップ円筒部１０と蓋部１１は全体を高分子弾性体からなる緩衝カバー材１６により形成されているか、または前記リング形状基材９からなるキャップ円筒部１０と蓋部１１は高分子弾性体からなる緩衝カバー材１６にて外周部１５を覆うことによりレンズキャップ本体４ａを形成し、該レンズキャップ本体４ａは前記カメラレンズ鏡筒２の入射光側７の先端部に着脱自在に嵌合または螺合可能となし、該レンズキャップ本体４ａが嵌合または螺合することによりレンズキャップ本体４ａのキャップ円筒部１０が外径寸法を大きく付加したリング状の外周部１５を形成し、該キャップ円筒部１０の外周部１５が支えとなりカメラ本体４ａを机上３等に載置した際にカメラレンズの重みでカメラ本体が前方向に倒れることを防止してカメラ本体１とレンズ鏡筒２を略水平に保持、並びに載置でき、カメラ本体１がレンズ鏡筒２の重みで倒れることによりレンズ鏡筒２が衝撃を受けレンズ光軸Ｃを狂わせることを防止できる。
【００４９】
斯くして、実施例１において、前記肉厚のリング形状基材９からなるキャップ円筒部１０は外径寸法を大きく付加したリング状の外周部１５を構成しており、該肉厚のリング形状基材９からなるキャップ円筒部１０と蓋部１１は、通常全体を熱可塑性エラストマーと呼ばれるシリコーンゴムやフッ素ゴム等の高分子弾性体によりなる緩衝カバー材１６にて成型加工されている。従って、レンズキャップ本体４ａが撮影現場への移動中や搬送中にそのレンズ鏡筒２の先端部が堅いものにぶつかった場合などにレンズキャップ本体４ａの緩衝カバー材１６が緩衝材となりカメラレンズの光軸Ｃを狂わせないようにすることが可能であり、実施例１のレンズキャップ本体４ａは、従来のレンズキャップの如く撮影レンズの前面を単に保護するだけではなく、カメラのレンズ鏡筒２を外部からの衝撃から守る役割を果たしている。
【００５０】
また、実施例１の他例として前記レンズキャップ本体４ａのキャップ円筒部１０はエンジニアリング・プラスチックスやスーパーエンジニアリング・プラスチックス等の成型加工によりリング形状基材９を成型した後、該キャップ円筒部１０を形成するリング形状基材９の外部側をシリコーンゴムやフッ素ゴム等の高分子弾性体からなる緩衝カバー１６にて外側を覆いリング状の外周部１５を構成しており、該レンズキャップ本体４ａが撮影現場への移動中や搬送中にそのレンズ鏡筒２の先端部が堅いものにぶつかった場合などにレンズキャップ本体４ａの外周部１５を覆った緩衝カバー材１６が緩衝材となりカメラのレンズ鏡筒２を衝撃から守るのでカメラレンズの光軸Ｃを狂わせないように保護することが可能である。
【００５１】
尚、ズームレンズや望遠レンズ等からなるレンズ鏡筒２は夫々レンズ鏡筒２の外径が異なり、夫々のレンズ外径に合わせたレンズキャップ本体４ａが必要であり、また、ズームレンズや望遠レンズを装着したカメラ本体１には、三脚を用いて撮影する場合が多く、該三脚の上部に設けられた雲台にカメラ本体１を装着するためにカメラ本体１の下部に雲台への装着用のシュー（図示せず）をネジ止めしていることがあり、このケースでは、カメラ本体１の下部に取付けられたシューの高さ分を前記レンズキャップ本体４ａの外径φに付加、または外径φを大きくした外周部１５を設けることにより解決することができる。
【００５２】
また、実施例１において、レンズキャップ本体４ａの構成を具体的に詳説すると、前記レンズキャップ本体４ａにおいて、エンジニアリング・プラスチックスやスーパーエンジニアリング・プラスチックス等の成型加工によりリング形状基材９を構成し、該リング形状基材９からなるキャップ円筒部１０の外周部１５は緩衝カバー材１６にて外周部１５を覆っており、該レンズキャップ本体４ａのキャップ円筒部１０を形成する外周部１５の緩衝カバー材１６は比較的柔らかい緩衝用の高分子弾性体、例えば熱可塑性エラストマーと呼ばれるシリコーンゴムやフッ素ゴム等の高分子弾性体により形成されている。尚、前記外周部１５を覆う緩衝カバー材１６の形状は、外周部１５の面を一部分で突出した形状でも良い。
【００５３】
更に、実施例１の他の様態は、レンズキャップ本体４ａにおいてリング形状基材９からなるキャップ円筒部１０と蓋部１１は全体を比較的柔らかい熱可塑性エラストマーと呼ばれるシリコーンゴムやフッ素ゴム等の緩衝用の高分子弾性体にて形成されている。
【００５４】
更にまた、実施例１の他の様態は、レンズキャップ本体４ａにおいて、リング形状基材９からなるキャップ円筒部１０の外周部１５は緩衝カバー材１６により覆われたキャップ円筒部１０を形成しており、該キャップ円筒部１０は外周部１５の外部側を比較的柔らかい緩衝用の高分子弾性体にて形成し、該緩衝用の高分子弾性体の硬度は前記外周部１５の外部側より光軸側の内面に向かって徐々に硬度を増す高分子弾性体にて形成されている。
【００５５】
斯して、本発明における高分子弾性体からなる緩衝機能付きレンズキャップは、カメラのレンズ鏡筒２のレンズ鏡筒先端部５に着脱自在に装着され、該レンズキャップ本体４ａが装着されると有底円筒形状の肉厚レンズキャップ本体４ａはレンズ鏡筒先端部５の外径φ部分を大きく付加することが可能な構成で、該レンズ鏡筒先端部５に装着されたレンズキャップ本体４ａの外周部１５を大きく付加することによりレンズキャップ本体４ａの外周部１５が作用して、例えば、カメラ本体１を机３の上等に置いた場合にカメラ本体１がカメラレンズの重みで前方向に倒れることを防止してカメラ本体１とレンズ鏡筒２をレンズキャップ本体４ａにて略水平に保持、並びに載置可能であり、カメラ本体１がレンズの重みで倒れることによりレンズ鏡筒２が直接衝撃を受けてレンズ光軸Ｃを狂わせないようにすることができるものである。
【００５６】
また、本発明における高分子弾性体からなる緩衝機能付レンズキャップは、カメラのレンズ鏡筒２のレンズ鏡筒先端部５に緩衝機能付きのレンズキャップ本体４ａとして装着される有底円筒形状の肉厚レンズキャップ本体４ａであり、該レンズキャップ本体４ａはカメラ本体１に標準レンズやズームレンズ、または望遠レンズ等を取付けた場合にそのレンズ鏡筒２の先端部に装着され、撮影現場への移動中や搬送中にそのレンズ鏡筒先端部５が堅いものにぶつかった場合などにレンズキャップ本体４ａが緩衝材となりカメラレンズの光軸Ｃを狂わせないようにすることができる。
【実施例２】
【００５７】
図１（Ａ）は本発明を必要とするカメラ本体並びにカメラレンズ鏡筒部分を説明する外観図、図３は実施例２の外観説明図であり、図４（Ａ）は実施例２を説明する部品断面図、図４（Ｂ）は実施例２のレンズキャップ装着状態を示す断面図である。
【００５８】
図１（Ａ）において、１はカメラ本体、２はズームレンズや望遠レンズ等からなるカメラのレンズ鏡筒、３はカメラ本体１が載置される机、そして、図３に示す符号４ｂはレンズキャップ本体を示している。
【００５９】
而して、カメラのレンズ鏡筒２をカメラ本体１に装着したまま机３の上に載置すると図１（Ａ）に示す如く角度Ｒを有して机上に置かれることになり、カメラ本体１はカメラのレンズ鏡筒２の重みで前方向に倒れることになり、カメラ本体１がレンズ鏡筒２の重みで倒れることによりレンズ鏡筒２が衝撃を受けレンズ光軸を狂わせることになる。そして、この現象は、ズームレンズや望遠レンズ等をカメラ本体１に装着した場合に必ず生じる厄介な現象である。
【００６０】
従って、実施例２は、図３に示す如く、レンズキャップ本体４ｂは高分子弾性体を成形加工して製作されており、該レンズキャップ本体４ｂはカメラのレンズ鏡筒２のレンズ鏡筒先端部５に着脱自在に装着される構成で、該レンズキャップ本体４ｂの形状は、レンズ鏡筒２のレンズ鏡筒先端部５においてレンズキャップ本体４ｂの外径φを大きく付加したもので、前記レンズキャップ本体４ｂは外径φ部分を大きく付加することにより、例えば、カメラ本体１を机３の上等に置いた場合にカメラ本体１が、カメラのレンズ鏡筒２の重みで前方向に倒れることを防止して、カメラ本体１とレンズ鏡筒２をレンズキャップ本体４ｂにて略水平に保持または載置可能で、カメラ本体１がレンズの重みで倒れることによりレンズ鏡筒２の先端部が衝撃を受けレンズ光軸を狂わせないようにすることができる高分子弾性体からなる緩衝機能付きレンズキャップ本体４ｂを提供する。
【００６１】
実施例２を図４（Ａ）（Ｂ）にて詳説すれば、２はカメラのレンズ鏡筒、５はレンズ鏡筒先端部、６はレンズ鏡筒先端部に螺設されたアタッチメント装着用の雌ネジ部であり、７は入射光側、８はカメラ本体側を示しており、Ｃはレンズキャップ本体４ｂ、レンズ鏡筒２、並びにカメラレンズの光軸を示している。
【００６２】
また、４ｂは実施例２のレンズキャップ本体を示し、該レンズキャップ本体４ｂは肉厚のリング形状基材９からなるキャップ円筒部１０と蓋部１１、そして、前記レンズ鏡筒２のレンズ鏡筒先端部５を嵌着するためのキャップ嵌合部１２を有している。尚、キャップ嵌合部１２の内径部１３には、開口側より少しずつ高く突起する形状を有した嵌合突起１４ａ、１４ｂ、１４ｃ・・・が設けられており、前記レンズキャップ本体４ｂはレンズ鏡筒２のレンズ先端部５に図４（Ｂ）の如く着脱自在に装着できる。
【００６３】
更に、レンズ鏡筒先端部５へのレンズキャップ本体４ｂの装着方法は、キャップ嵌合部１２の内径部１３に不図示の雄ネジ部を突設して設け、該雄ネジ部に前記レンズ鏡筒先端部に螺設されたアタッチメント装着用の雌ネジ部６を螺合することにより行うようにしても良い。また、レンズ鏡筒先端部５には種々の機能を有したフィルター枠が、アタッチメント装着用の雌ネジ部６を介して装着されている場合があるが、この場合においても前記フィルター枠の前面にはアタッチメント装着用の雌ネジが螺設されており、レンズキャップ本体４ｂの装着方法は同様のものとなる。
【００６４】
而して、前記肉厚のリング形状基材９からなるキャップ円筒部１０は外径寸法を大きく付加したリング状の外周部１５を構成しており、該肉厚のリング形状基材９からなるキャップ円筒部１０と蓋部１１は、通常全体を熱可塑性エラストマーと呼ばれるシリコーンゴムやフッ素ゴム等の高分子弾性体によりなる緩衝カバー材１６にて成型加工されている。また、実施例２の応用例として前記レンズキャップ本体４ｂのキャップ円筒部１０はエンジニアリング・プラスチックスやスーパーエンジニアリング・プラスチックス等の成型加工によりリング形状基材９を成型した後、該キャップ円筒部１０を形成するリング形状基材９の外部側をシリコーンゴムやフッ素ゴム等の高分子弾性体からなる緩衝カバー１６にて外側を覆いリング状の外周部１５を製作することもできる。
【００６５】
従って、実施例２は、カメラのレンズ鏡筒２の入射光側７の先端部に装着されるレンズキャップ本体４ｂは肉厚のリング形状基材９からなるキャップ円筒部１０と蓋部１１からなる有底円筒形状を有し、該レンズキャップ本体４ｂのリング形状基材９からなるキャップ円筒部１０と蓋部１１は全体を高分子弾性体からなる緩衝カバー材１６により形成されているか、または前記リング形状基材９からなるキャップ円筒部１０と蓋部１１は高分子弾性体からなる緩衝カバー材１６にて外周部を覆うことによりレンズキャップ本体４ｂを形成し、該レンズキャップ本体４ａは前記カメラのレンズ鏡筒２の入射光側７の先端部に着脱自在に嵌合または螺合可能となし、該レンズキャップ本体４ａが嵌合または螺合することによりレンズキャップ本体４ａのキャップ円筒部１０が外径寸法を大きく付加したリング状の外周部１５を構成すると共に前記キャップ円筒部１０の外周部１５でカメラ本体側８に大きく突出してレンズキャップ本体４ｂの長さＬを大きくし、該キャップ円筒部１０の外周部１５が支えとなりカメラ本体１を机３上等に載置した際にカメラレンズの重みでカメラ本体１が前方向に倒れることを防止してカメラ本体１とレンズ鏡筒２を略水平に保持、並びに載置可能にすることで、カメラ本体１がレンズ鏡筒２の重みで倒れることによりレンズ鏡筒２が衝撃を受けカメラレンズ光軸Ｃを狂わせることを防止できる。
【００６６】
斯くして、実施例２において、前記肉厚のリング形状基材９からなるキャップ円筒部１０は外径寸法を大きく付加したリング状の外周部１５を構成しており、該肉厚のリング形状基材９からなるキャップ円筒部１０と蓋部１１は、通常全体を熱可塑性エラストマーと呼ばれるシリコーンゴムやフッ素ゴム等の高分子弾性体によりなる緩衝カバー材１６にて成型加工されている。従って、レンズキャップ本体４ｂが撮影現場への移動中や搬送中にそのレンズ鏡筒２の先端部やレンズ鏡筒２部分が堅いものにぶつかった場合などにレンズキャップ４ｂの緩衝カバー材１６が緩衝材となりカメラレンズの光軸Ｃを狂わせないようにすることが可能であり、実施例２のレンズキャップ本体４ｂは、従来のレンズキャップの如く撮影レンズの前面を単に保護するだけではなく、カメラのレンズ鏡筒２を衝撃から守る役割を果たしている。尚、レンズキャップ本体４ｂの長さＬを充分に大きくとり、カメラのレンズ鏡筒２を包み込んでしまう形状とするレンズキャップ４ｂも本発明の他の実施例となることは云うまでもない。
【００６７】
また、実施例２の他例として、前記レンズキャップ本体４ｂのキャップ円筒部１０は、エンジニアリング・プラスチックスやスーパーエンジニアリング・プラスチックス等の成型加工によりリング形状基材９を成型した後、該キャップ円筒部１０を形成するリング形状基材９の外部側をシリコーンゴムやフッ素ゴム等の高分子弾性体からなる緩衝カバー１６にて外側を覆いリング状の外周部１５を構成しており、該レンズキャップ本体４ｂが撮影現場への移動中や搬送中にそのレンズ鏡筒２の先端部やレンズ鏡筒２部分が堅いものにぶつかった場合などにレンズキャップ本体４ｂの外周部１５を覆った緩衝カバー材１６が緩衝材となりカメラのレンズ鏡筒２を衝撃から守るのでカメラレンズの光軸Ｃを狂わせないように保護することが可能である。
【００６８】
尚、ズームレンズや望遠レンズ等からなるレンズ鏡筒２は夫々レンズ鏡筒２の外径が異なり、夫々のレンズ外径に合わせたレンズキャップ本体４ｂが必要であり、また、ズームレンズや望遠レンズを装着したカメラ本体１には、三脚を用いて撮影する場合が多く、該三脚の上部に設けられた雲台にカメラ本体を装着するためにカメラ本体１の下部に雲台への装着用のシュー（図示せず）をネジ止めしていることがあり、このケースでは、カメラ本体１の下部に取付けられたシューの高さ分を前記レンズキャップ本体４ｂの外径φに付加、または外径φを大きくした外周部１５を設けることにより解決することができる。
【００６９】
また、実施例２において、レンズキャップ本体４ｂの構成を具体的に詳説すると、前記レンズキャップ本体４ｂにおいて、エンジニアリング・プラスチックスやスーパーエンジニアリング・プラスチックス等の成型加工によりリング形状基材９を構成し、該リング形状基材９からなるキャップ円筒部１０の外周部１５は緩衝カバー材１６にて外周部１５を覆っており、該レンズキャップ本体４ｂのキャップ円筒部１０を形成する外周部１５の緩衝カバー材１６は比較的柔らかい緩衝用の高分子弾性体、例えば熱可塑性エラストマーと呼ばれるシリコーンゴムやフッ素ゴム等の高分子弾性体により形成されている。尚、前記外周部１５を覆う緩衝カバー材１６の形状は、外周部１５の面を図４（Ｂ）の想像線に示す如く一部分で突出した形状として、該突出部を外径φとすることもできる。
【００７０】
更に、実施例２の他の様態は、レンズキャップ本体４ｂにおいてリング形状基材９からなるキャップ円筒部１０と蓋部１１は全体を比較的柔らかい熱可塑性エラストマーと呼ばれるシリコーンゴムやフッ素ゴム等の緩衝用の高分子弾性体にて形成されている。
【００７１】
更にまた、実施例２の他の様態は、レンズキャップ本体４ｂにおいて、リング形状基材９からなるキャップ円筒部１０の外周部１５は緩衝カバー材１６により覆われたキャップ円筒部１０を形成しており、該キャップ円筒部１０は外周部１５の外部側を比較的柔らかい緩衝用の高分子弾性体にて形成し、該緩衝用の高分子弾性体の硬度は前記外周部１５の外部側より光軸側の内面に向かって徐々に硬度を増す高分子弾性体にて形成されている。
【００７２】
斯して、本発明における高分子弾性体からなる緩衝機能付きレンズキャップは、カメラのレンズ鏡筒２のレンズ鏡筒先端部５に着脱自在に装着され、該レンズキャップ本体４ｂが装着されると有底円筒形状の肉厚レンズキャップ本体４ｂはレンズ鏡筒先端部５の外径φ部分を大きく付加することが可能な構成で、該レンズ鏡筒先端部５に装着されたレンズキャップ本体４ｂの外周部１５を大きく付加することによりレンズキャップ本体４ｂの外周部１５が作用して、例えば、カメラ本体１を机３の上等に置いた場合にカメラ本体１がカメラレンズの重みで前方向に倒れることを防止してカメラ本体１とレンズ鏡筒２をレンズキャップ本体４ｂにて略水平に保持並びに載置可能であり、カメラ本体１がレンズの重みで倒れることによりレンズ鏡筒２が直接衝撃を受けてカメラのレンズ光軸Ｃを狂わせないようにすることが可能である。
【００７３】
また、本発明における高分子弾性体からなる緩衝機能付レンズキャップは、カメラのレンズ鏡筒２のレンズ鏡筒先端部５に緩衝機能付きのレンズキャップ本体４ｂとして装着される有底円筒形状の肉厚レンズキャップ本体４ｂであり、該レンズキャップ本体４ｂはカメラ本体１に標準レンズやズームレンズ、または望遠レンズ等を取付けた場合にそのレンズ鏡筒２の先端部やレンズ鏡筒２部分に装着され、撮影現場への移動中や搬送中にそのレンズ鏡筒先端部やレンズ鏡筒部分が堅いものにぶつかった場合などにレンズキャップ本体４ｂが緩衝材となりカメラのレンズの光軸Ｃを狂わせないようにすることが可能である。
【００７４】
更に、本発明は、高分子弾性体からなる緩衝機能付きレンズキャップを提供するもので、従来のレンズキャップになかった新機能を有するデジタルカメラのレンズキャップを提供することができた。
【符号の説明】
【００７５】
１  カメラ本体
２  レンズ鏡筒
３  机
４ａ、４ｂ  レンズキャップ本体
５  レンズ鏡筒先端部
６  雌ネジ部
７  入射光側
８  カメラ本体側
９  リング形状基材
１０  キャップ円筒部
１１  蓋部
１２  キャップ嵌合部
１３  内径部
１４ａ、１４ｂ、１４ｃ・・・  嵌合突起
１５  外周部
１６  緩衝カバー材
【図１】
2014074820.tif 000003
【図２】
2014074820.tif 000004
【図３】
2014074820.tif 000005
【図４】
2014074820.tif 000006